(57)【要約】【課題】ペットの臭気を吸収分解し、ペットの体温調節も行うことのできる優れたペット用寝床を提供する。【解決手段】床面に設置される基材１の上に、バーミキュライトを混入した珪酸カルシウム板２を敷設する。珪酸カルシウム板２には、貫通孔３、非貫通孔、又は溝４を設けるとよい。また、箱状の上屋５を、係止部材６を介して基材１に着脱可能に取り付け、さらに、上屋５の内面の少なくとも一部に、バーミキュライトを混入した珪酸カルシウム板を取り付けることが好ましい。【選択図】図１
2007068414.tif 000002
【特許請求の範囲】
【請求項１】
床面に設置される基材の上に、バーミキュライトを混入した珪酸カルシウム板を敷設してなるペット用寝床。
【請求項２】
前記珪酸カルシウム板に貫通孔を設けたことを特徴とする請求項１に記載のペット用寝床。
【請求項３】
前記珪酸カルシウム板の表面に非貫通孔又は溝を設けたことを特徴とする請求項１又は請求項２に記載のペット用寝床。
【請求項４】
下面に開口部を有するとともに側面のうちの１つにペット用出入口を有する箱状の上屋を、係止部材を介して前記基材に着脱可能に取り付けたことを特徴とする請求項１乃至請求項３のうちいずれか一つに記載のペット用寝床。
【請求項５】
前記上屋の内面の少なくとも一部に、バーミキュライトを混入した珪酸カルシウム板を取り付けたことを特徴とする請求項４に記載のペット用寝床。
【請求項６】
前記上屋が折り畳み又は分解可能となっていることを特徴とする請求項４又は請求項５に記載のペット用寝床。
【発明の詳細な説明】
【技術分野】
【０００１】
本発明は、犬などのペットを飼育する場合に用いる、ペット用寝床に関する。
【背景技術】
【０００２】
犬などのペットを飼育する場合、従来は番犬としての役割もあって屋外飼育することが主流であったが、近年は愛玩用に屋内飼育するケースが増えてきている。
屋外飼育の場合は、雨露を防ぐ必要から、屋根・壁・床を備え、小型の家の形状をした「犬小屋」を用いるのが一般的である。一方、屋内飼育の場合は、最小限「寝床」があれば十分であるが、外部から遮断された落ち着いた空間をペットに提供するために、囲いとしての上屋を設ける場合もある。
【０００３】
このように、ペットを屋内飼育するためには少なくとも寝床を用意する必要があるが、その場合には、臭気の問題やペットの体温調節の問題が生じていた。
すなわち、ペットには糞尿の臭気の他、独特の「獣臭」があり、例えばプラスチック製や木製の寝床では臭気が吸収されなかった。また、上屋を設けたとしても完全密閉できず、臭気が周囲に拡散してしまう恐れがあった。
また、夏など気温が高い場合には、特に犬など汗腺が未発達なペットに対して、体温を調節してやる必要があった。
【０００４】
ここで、臭気の問題に対しては、消臭機能を有する繊維を用いたペット用シーツの発明（特許文献１）、活性炭などの炭素粉末を用いたペットハウスの発明（特許文献２）、活性炭と送風ファンを用いた動物用飼育小屋の発明（特許文献３）、酸化チタンを光触媒として用いたペットハウスの発明（特許文献４）などが開示されている。
また、ペットの体温調節の問題に対しては、保冷材を用いたペット用クーラーマットの発明（特許文献５）、蓄熱材とアルミニウム製の熱拡散板を用いたペット用体温調節装置の発明（特許文献６）などが開示されている。
【特許文献１】特開昭６３−１２６４４１号公報
【特許文献２】実用新案登録第３１０００７６号公報
【特許文献３】実開昭６４−２０１７７号公報
【特許文献４】特開２００３−２２５０２７号公報
【特許文献５】特開２００４−２６７０３６号公報
【特許文献６】特開２００２−３４５３５５号公報
【発明の開示】
【発明が解決しようとする課題】
【０００５】
しかし、上記従来例においては、それぞれ以下のような問題点を有していた。
【０００６】
（１）特許文献１に記載された発明のように、シーツを用いる場合には、ペットが噛んだり、爪で引っ掻いたりして容易に破損してしまい、耐久性が低かった。
（２）特許文献２や特許文献３に記載された発明の場合には、吸収型の脱臭剤である活性炭や、電気を使用する送風ファンを用いるので、寿命が短く定期交換が必要で、ランニングコストも高かった。また、活性炭は吸収量が一定量を超えると、昇温により吸収した物質を再放出する性質があり、脱臭効果が小さい場合があった。
（３）特許文献４に記載された発明のように、光触媒を用いる場合には、臭気の分解に光が必要で、臭気が篭りやすい部分（光が届かない部分）への使用は困難であった。
【０００７】
（４）特許文献５に記載された発明のように、冷却材を用いる場合には、結露を生じやすく結露水が溜まってカビの発生原因となった。
（５）特許文献６に記載された発明のように、アルミニウム板を用いる場合には、ペットの臭気を吸収させることができなかった。
【０００８】
また、寝床に上屋を設けた場合には、内部を掃除するのに出入口から奥まで手を突っ込む必要があって面倒であり、また多くの場所をとるという問題もあった。
【０００９】
そこで本発明は、上記従来の課題を解決するためのものであり、ペットの臭気を吸収分解し、ペットの体温調節も行うことのできる優れたペット用寝床を提供するものである。
【課題を解決するための手段】
【００１０】
上記従来の課題を解決するために、請求項１に係る発明のペット用寝床は、床面に設置される基材（１）の上に、バーミキュライトを混入した珪酸カルシウム板（２）を敷設してなるものである。
【００１１】
また、請求項２に係る発明は、請求項１に記載の発明において、前記珪酸カルシウム板（２）に貫通孔（３）を設けたことを特徴とする。
【００１２】
また、請求項３に係る発明は、請求項１又は請求項２に記載の発明において、前記珪酸カルシウム板（２）の表面に非貫通孔又は溝（４）を設けたことを特徴とする。
【００１３】
また、請求項４に係る発明は、請求項１乃至請求項３のうちいずれか一つに記載の発明において、下面に開口部を有するとともに側面のうちの1つにペット用出入口（８）を有する箱状の上屋（５）を、係止部材（６）を介して前記基材（１）に着脱可能に取り付けたことを特徴とする。
【００１４】
また、請求項５に係る発明は、請求項４に記載の発明において、前記上屋（５）の内面の少なくとも一部に、バーミキュライトを混入した珪酸カルシウム板を取り付けたことを特徴とする。
【００１５】
また、請求項６に係る発明は、請求項４又は請求項５に記載の発明において、前記上屋（５）が折り畳み又は分解可能となっていることを特徴とする。
【００１６】
なお、括弧内の記号は、発明を実施するための最良の形態および図面に記載された対応要素または対応事項を示す。
【発明の効果】
【００１７】
請求項１に記載の発明によれば、床面に設置される基材の上に、バーミキュライトを混入した珪酸カルシウム板を敷設してあるので、珪酸カルシウム板でペットの臭気を吸収することができ、さらに、吸収した臭気を分解することができる。また、抗菌効果でカビが発生しにくい。
また、珪酸カルシウム板は吸湿性能を有しているので、寝床の水分を吸収して蒸れを防ぐとともに適度なヒンヤリ感を与えることができる。さらに、内部に吸収された水分がペットの不在時に放湿されて、寝床が乾燥されると同時に気化熱で適度に冷却される。このようにして、夏場のペットの体温調節を適切に行うことができる。
また、珪酸カルシウム板は硬質で耐久性が高く、脱臭剤、電気、光などが不要でランニングコストが安い。さらに、汚れが落ちないときはサンドペーパーで削り落とせば再生可能である。
【００１８】
また、請求項２に記載の発明によれば、請求項１に記載の発明の作用効果に加えて、珪酸カルシウム板に貫通孔を設けてあるので、通気性が向上して、さらに快適にすることができる。
【００１９】
また、請求項３に記載の発明によれば、請求項１又は請求項２に記載の発明の作用効果に加えて、珪酸カルシウム板の表面に非貫通孔又は溝を設けてあるので、臭気や水分の吸収面積が増加して、さらに快適にすることができる。
【００２０】
また、請求項４に記載の発明によれば、請求項１乃至請求項３のうちいずれか一つに記載の発明の作用効果に加えて、箱状の上屋を、係止部材を介して基材に着脱可能に取り付けてあるので、上屋が簡単に取り外し可能であり、掃除を容易に行うことができる。
また、夏場は寝床のみで使用し、冬場のみ上屋を取り付けるなどして、できるだけ場所をとらないようにして使用することができる。
【００２１】
また、請求項５に記載の発明によれば、請求項４に記載の発明の作用効果に加えて、上屋の内面の少なくとも一部に、バーミキュライトを混入した珪酸カルシウム板を取り付けてあるので、寝床に加えて上屋の内面においても、臭気や水分の吸収が可能であり、さらに快適にすることができる。
【００２２】
また、請求項６に記載の発明によれば、請求項４又は請求項５に記載の発明の作用効果に加えて、上屋が折り畳み又は分解可能となっているので、夏場などの上屋を使用しない時期にコンパクトに収納することができる。
【発明を実施するための最良の形態】
【００２３】
次に、図１乃至図３を参照して、本発明の実施形態１に係るペット用寝床について説明する。
図１は、実施形態１に係るペット用寝床１０を示す斜視図であり、図２は、図１のＡ−Ａ断面図である。また、図３は、実施形態１に係るペット用寝床１０を示す平面図である。
【００２４】
図１に示すように、ペット用寝床１０は、床面に設置される基材１と、基材１の上に敷設される珪酸カルシウム板２から構成されている。
基材１は、矩形状の枠材であり、木材やプラスチック等で形成されている。そして、図２及び図３に示すように、基材１の内側周縁には、珪酸カルシウム板２の周縁部に合わせて段差が形成されて、珪酸カルシウム板２を支持するようになっている。
また、基材１の対向する枠材を結ぶように支持部材１１，１２が複数設けられており、珪酸カルシウム板２を支持している。
【００２５】
一方、珪酸カルシウム板２は、基材１に合わせて矩形状に形成されるとともに、バーミキュライトが混入されている。このバーミキュライトを混入した珪酸カルシウム板２は、有害物質を吸着・無害することができる資材である。また、水分子が周囲の湿度の変化によって出入りすることで、室内の湿度調整の役目を果たすことができるものである。
珪酸カルシウム板２の厚みに特に制限はないが、ペットの種類によって、６〜１２ミリ程度の適当な厚さにするとよい。
【００２６】
なお、基材１及び珪酸カルシウム板２の形状は、矩形状に限られず、例えば円形等であってもよい。また、支持部材１１，１２の代わりに、珪酸カルシウム板２の裏面に合板等を貼着してもよい。
【００２７】
ここで、ペット用寝床の材料として、バーミキュライトを混入した珪酸カルシウム板を用いた場合と、その他の材料を用いた場合の比較を表１に示す。
【００２８】
【表１】
2007068414.tif 000003
【００２９】
表１に示すように、他の材料を用いた場合には、すべての項目を満足させる（例えば吸湿性と臭気吸収を同時に実現する）ことはできないが、バーミキュライトを混入した珪酸カルシウム板を用いた場合には、すべての項目で優れた特徴を示している。
【００３０】
また、臭気の問題への対応として、バーミキュライトを混入した珪酸カルシウム板を用いた場合と、他の吸臭剤等を用いた場合の比較を表２に示す。
【００３１】
【表２】
2007068414.tif 000004
【００３２】
表２に示すように、バーミキュライトを混入した珪酸カルシウム板は、価格面や耐久性等すべての面で優れていることがわかる。
【００３３】
実施形態１に係るペット用寝床１０によれば、床面に設置される基材１の上に、バーミキュライトを混入した珪酸カルシウム板２を敷設してあるので、珪酸カルシウム板２でペットの臭気を吸収することができ、さらに、吸収した臭気を分解することができる。また、抗菌効果でカビが発生しにくい。
また、珪酸カルシウム板２は吸湿性能を有しているので、寝床の水分を吸収して蒸れを防ぐとともに適度なヒンヤリ感を与えることができる。さらに、内部に吸収された水分がペットの不在時に放湿されて、寝床が乾燥されると同時に気化熱で適度に冷却される。このようにして、夏場のペットの体温調節を適切に行うことができる。
また、珪酸カルシウム板２は硬質で耐久性が高く、脱臭剤、電気、光などが不要でランニングコストが安い。さらに、汚れが落ちないときはサンドペーパーで削り落とせば再生可能である。
【００３４】
次に、図４及び図５を参照して、本発明の実施形態２に係るペット用寝床について説明する。
図４は、実施形態２に係るペット用寝床２０を示す斜視図であり、図５は、ペット用寝床２０の珪酸カルシウム板２を示す拡大断面図である。
【００３５】
図４に示すように、ペット用寝床２０の珪酸カルシウム板２には、貫通孔３が複数設けられている。
貫通孔３は、図５の拡大断面図に示すように珪酸カルシウム板２の表と裏を貫通するように設けられている。なお、貫通孔３の数や配置に特に制限はない。
【００３６】
実施形態２に係るペット用寝床２０によれば、珪酸カルシウム板２に貫通孔３を設けてあるので、通気性が向上して、さらに快適にすることができる。
【００３７】
次に、図６及び図７を参照して、本発明の実施形態３に係るペット用寝床について説明する。
図６は、実施形態３に係るペット用寝床３０を示す斜視図であり、図７は、ペット用寝床３０の珪酸カルシウム板２を示す拡大断面図である。
【００３８】
図６に示すように、ペット用寝床３０の珪酸カルシウム板２には、溝４が複数設けられている。
溝４は、図７の拡大断面図に示すように珪酸カルシウム板２の表側に設けられている。なお、溝４の数や配置に特に制限はない。
【００３９】
実施形態３に係るペット用寝床３０によれば、珪酸カルシウム板２の表面に溝４を設けてあるので、臭気や水分の吸収面積が増加して、さらに快適にすることができる。
なお、溝４の代わりに、珪酸カルシウム板２の表側から裏面に向けて非貫通孔を設けても良い。また、実施形態２における貫通孔３と溝４や非貫通孔を組み合わせてもよい。
【００４０】
次に、図８及び図９を参照して、本発明の実施形態４に係るペット用寝床について説明する。
図８は、実施形態４に係るペット用寝床４０を示す分解斜視図であり、図９は、実施形態４に係るペット用寝床４０を示す斜視図である。
【００４１】
図８に示すように、ペット用寝床４０は、基材１と珪酸カルシウム板２からなるペット用寝床の上から、上屋５を被せるようにして構成されている。
上屋５は、下面に開口部を有するとともに、側面のうちの1つにペット用出入口８が形成されている。また、他の側面の下部には係止部材６が設けられており、基材１の係止部材６に対応する部分には係止孔１３が設けられている。
そして、基材１の上に上屋５を被せた後、係止部材６の先端を係止孔１３に嵌合させて、図９に示すようなペット用寝床４０が完成する。なお、係止部材６を介して、上屋５は自由に基材１に着脱できるようになっている。
また、上屋５の着脱や運搬に便利なように、上屋上部にハンドル７を設けてある。
【００４２】
なお、上屋５の材質は、基材１と同様に木材やプラスチック等、特に限定されないが、内面の少なくとも一部、より好ましくは内面全体に、バーミキュライトを混入した珪酸カルシウム板を取り付けるとよい。
【００４３】
ここで、実施形態４に係るペット用寝床４０のように上屋５を着脱可能としたペット用寝床と、従来の寝床型（寝床のみのもの）及び小屋型（固定式上屋のもの）のものとの比較を表３に示す。
【００４４】
【表３】
2007068414.tif 000005
【００４５】
表３に示すように、着脱式上屋の場合、すべての項目で優れた特徴を示している。
【００４６】
実施形態４に係るペット用寝床４０によれば、箱状の上屋５を、係止部材６を介して基材１に着脱可能に取り付けてあるので、上屋５が簡単に取り外し可能であり、掃除を容易に行うことができる。
また、夏場は寝床のみで使用し、冬場のみ上屋５を取り付けるなどして、できるだけ場所をとらないようにして使用することができる。
【００４７】
さらに、上屋５の内面の少なくとも一部に、バーミキュライトを混入した珪酸カルシウム板２を取り付ければ、寝床に加えて上屋５の内面においても、臭気や水分の吸収が可能であり、さらに快適にすることができる。特に、上屋５の内面全体に珪酸カルシウム板２を取り付ければ、一層効果的である。
【００４８】
また、上屋５を折り畳み又は分解可能とするとよい。
例えば、図１０に示すように、上屋５の側板５１，５２，５３，５４及び天板５５をそれぞれ蝶番９で結合して平面状に折り畳み可能とすることにより、夏場などの上屋５を使用しない時期にコンパクトに収納することができる。
【００４９】
以上、実施形態１乃至実施形態４について説明したが、上記実施形態に係るペット用寝床は、犬の他、猫や各種小動物等の様々なペットの飼育に使用することができる。また、屋根のある場所など雨露を防ぐことのできる場所であれば、屋外での使用も可能である。
【図面の簡単な説明】
【００５０】
【図１】本発明の実施形態１に係るペット用寝床を示す斜視図である。
【図２】図１のＡ−Ａ断面図である。
【図３】実施形態１に係るペット用寝床を示す平面図である。
【図４】実施形態２に係るペット用寝床を示す斜視図である。
【図５】実施形態２に係るペット用寝床の珪酸カルシウム板の拡大断面図である。
【図６】実施形態３に係るペット用寝床を示す斜視図である。
【図７】実施形態３に係るペット用寝床の珪酸カルシウム板の拡大断面図である。
【図８】実施形態４に係るペット用寝床を示す分解斜視図である。
【図９】実施形態４に係るペット用寝床を示す斜視図である。
【図１０】別の実施形態に係る上屋を示す斜視図である。
【符号の説明】
【００５１】
１      基材
２      珪酸カルシウム板
３      貫通孔
４      溝
５      上屋
６      係止部材
７      ハンドル
８      ペット用出入口
９      蝶番
１０      ペット用寝床
１１      支持部材
１２      支持部材
１３      係止孔
２０      ペット用寝床
３０      ペット用寝床
４０      ペット用寝床
５１      側板
５２      側板
５３      側板
５４      側板
５５      天板
【図１】
2007068414.tif 000006
【図２】
2007068414.tif 000007
【図３】
2007068414.tif 000008
【図４】
2007068414.tif 000009
【図５】
2007068414.tif 000010
【図６】
2007068414.tif 000011
【図７】
2007068414.tif 000012
【図８】
2007068414.tif 000013
【図９】
2007068414.tif 000014
【図１０】
2007068414.tif 000015